【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
平面内に並べられたＮ極及び反対側のＳ極を有し、前記平面内且つ反対の前記極の間の軸周りに回転可能な、回転永久磁石と；
前記軸に概して平行な直線運動に制限されるシャトルと；
前記シャトルに付けられた第１及び第２の固定永久磁石であって、前記回転永久磁石はそれらの間に支持され、前記第１及び前記第２の固定永久磁石のそれぞれは、それらの間に延びる前記軸とともにＮ極及び反対側のＳ極を有し、前記永久磁石は、前記回転永久磁石の回転が前記第１及び前記第２の固定永久磁石の反発および吸引を交互にもたらし、したがって前記シャトルの直線往復運動をもたらすように、配置される、第１及び第２の固定永久磁石と；を有する、
装置。
【請求項２】
前記軸周りの回転を提供するための、前記回転永久磁石とともに動作可能なモータ駆動部をさらに有する、
請求項１に記載の装置。
【請求項３】
前記シャトルの対向する側部に取付けられるとともに、それぞれが前記往復運動中の前記シャトルの衝撃を受け止めるように動作可能である第１及び第２のショックアブソーバをさらに有し、前記第１及び前記第２のショックアブソーバのそれぞれは、前記シャトルとともに、前記シャトルによって与えられる慣性力を克服するとともに前記シャトルに反発力を伝えるように作動する、
請求項１又は２に記載の装置。
【請求項４】
前記第１の固定永久磁石の前記極は、前記第２の永久磁石の前記極と１８０度位相がずれている、
請求項１乃至３のいずれか１項に記載の装置。
【請求項５】
第１の軸周りに第１のシャフトを回転させるように動作可能なモータ駆動部と；
それぞれが第２の軸周りに回転可能な複数の第２のシャフトと；
前記第１のシャフトと前記複数の第２のシャフトとの間で動作可能な、それぞれの前記第２の軸周りの前記第２の軸の回転のための、カップリングと；
前記複数の第２のシャフトとともに動作可能な複数の回転永久磁石であって、前記複数の回転永久磁石のそれぞれは、平面内のＮ極及び反対側のＳ極によって画定され、前記複数の回転永久磁石のそれぞれは、前記Ｎ極と前記Ｓ極との間に延びる前記第２の軸周りに前記第２のシャフトによって回転する、複数の回転永久磁石と；
前記シャトルに取付けられた複数の固定磁石であって、
対向する前記固定永久磁石は、前記第２のシャフトそれぞれによって支持されたそれぞれ対向する前記回転永久磁石と相互作用するように前記シャトルに配置され、
前記固定永久磁石のそれぞれは、平面内のＮ極及び反対側のＳ極によって画定され、
前記回転永久磁石と前記固定永久磁石は、前記第２の軸に沿って並べられ、
それぞれの前記第２の軸周りのそれぞれの前記回転永久磁石の回転は、前記シャトルに取付けられた前記固定永久磁石の反発および吸引をもたらし、したがって前記シャトルの直線往復運動をもたらす、
複数の固定磁石と、を有する、
装置。
【請求項６】
前記往復運動中の前記シャトルの衝撃を受け止めるように動作可能であるショックアブソーバをさらに有し、前記ショックアブソーバは、前記シャトルによって与えられる慣性力を克服するとともに前記シャトルに反発力を伝える、
請求項５に記載の装置。
【請求項７】
前記ショックアブソーバは第１及び第２のショックアブソーバを有し、前記第１のショックアブソーバは、前記シャトルの第１の方向への運動に起因する衝撃を受け止めるように配置され、前記第２のショックアブソーバは、前記シャトルの第２の反対方向への運動に起因する衝撃を受け止めるように配置される、
請求項６に記載の装置。
【請求項８】
前記複数の第２のシャフトは４個の補助シャフトを有し、前記複数の永久磁石は、８個の回転永久磁石及び８個の固定永久磁石を有する、
請求項５乃至７のいずれか１項に記載の装置。
【請求項９】
前記第２のシャフトの対向する端部の前記固定永久磁石は、それらの極性に関して互いに１８０度配置がずれている、
請求項５乃至８のいずれか１項に記載の装置。
【請求項１０】
少なくとも１つの前記永久磁石によって作られる磁界に作用するように配置された磁気収束材料をさらに有する、
請求項５乃至９のいずれか１項に記載の装置。
【請求項１１】
前記磁気収束材料は、前記永久磁石の一部の周りに少なくとも延びる鋼のさやを有する、
請求項１０に記載の装置。
【請求項１２】
回転運動を往復直線運動に変換するための装置であって：
ベースと；
前記ベースに取付けられ、軸周りに動作可能な駆動シャフトを回転させるように動作可能なモータと；
前記ベースに取付けられ、対向する第１及び第２の側部を有するブラケットと；
前記ブラケットに回転可能に支持され、前記ブラケットの第１及び第２の側部を通って延びる端部を有する、複数の補助シャフトと；
前記駆動シャフトと前記複数の補助シャフトとの間で、前記駆動シャフトによる前記複数の補助シャフトの回転のための歯車組立体と；
前記複数の補助シャフトに取付けられた複数の回転永久磁石であって、それぞれの前記複数の回転永久磁石が、回転のためにそれぞれの前記複数の補助シャフトの端部に支持される、複数の回転永久磁石と；
前記駆動シャフトの前記軸に概して平行な直線運動のために、前記ベースによってスライド可能に支持されるシャトルと；
前記シャトルに取付けられた複数の固定磁石であって、１つの固定永久磁石が前記補助シャフトの前記端部に支持された前記回転永久磁石と相互作用するように前記シャトルに配置され、前記モータによる前記回転永久磁石の回転が前記シャトルに取付けられた前記固定永久磁石の反発および吸引をもたらし、したがって前記シャトルの直線往復運動をもたらす、複数の固定磁石と；
前記ブラケット前記対向する側部に前記ベースに取付けられた第１及び第２のショックアブソーバであって、それぞれの前記第１及び前記第２のショックアブソーバは、前記往復運動中の前記シャトルの衝撃を受け止めるとともに運動を制限するように動作可能である、
装置。
【請求項１３】
それぞれの前記複数の回転永久磁石は、対向するＮ極とＳ極との間に延びる回転軸周りに前記補助シャフトによって回転され、前記ブラケットのそれぞれの側部の前記複数の回転永久磁石は、それぞれ互いにＮがＮ及びＳがＳに対向するそれぞれの極を有する、
請求項１２に記載の装置。
【請求項１４】
前記第２のシャフトの対向する端部の前記固定永久磁石は、それらの極性に関して互いに１８０度配置がずれている、
請求項１２又は１３に記載の装置。
【請求項１５】
前記固定永久磁石及び前記回転永久磁石のそれぞれによって作られる磁界に作用するように配置された磁気収束材料をさらに有する、
請求項１２乃至１４のいずれか１項に記載の装置。
【請求項１６】
前記固定永久磁石及び前記回転永久磁石の少なくとも一部を囲むシューを有し、前記磁石の前方側部及び後方側部が前記シューで囲まれる一方前記磁石の上方の対向する側部が露出される、
請求項１５に記載の装置。
【請求項１７】
前記シューは、前記磁石の前記前方側部及び前記後方側部を覆う鋼板を有し、前記鋼板の下方部分は曲線を付けられ、前記磁石の端部において、前記端部の近くの前記鋼板の材料より少ない前記鋼板の材料を有する、
請求項１６に記載の装置。
【請求項１８】
前記シャトルの前記直線運動に起因する電力を発生させるための前記シャトルとともに動作可能なリニア発電機をさらに有する、
請求項１乃至１７のいずれか１項に記載の装置。
【請求項１９】
前記回転永久磁石及び前記固定永久磁石の対向面は、前記シャトルの往復運動中、離間した関係にあり、形成されるギャップは、前記往復運動中、前記シャトルの第１の端の位置における０．０４５インチから第２の反対側の端の位置における１．１７インチに及ぶ寸法を有する、
請求項１乃至１８のいずれか１項に記載の装置。
【請求項２０】
前記駆動シャフトの前記軸に平行な前記直線運動のアライメントを維持するように前記シャトルをスライド可能に受けるガイドをさらに有する、
請求項１乃至１９のいずれか１項に記載の装置。